(57)【特許請求の範囲】
【請求項１】
ソケット状をなす雌具と、この雌具内に係合解除可能に差し込まれて係合される差し込み部と帯状体の留め付け部とを備えた雄具とからなるバックルであって、
前記雄具の留め付け部には、自由端側に前記帯状体の掛け回し桿を備えた回動部材が備えられていると共に、
前記雌具には、前記雄具との係合時に前記回動部材の回動を抑止する規制部が備えられており、
この規制部によって前記回動部材の回動が抑止された状態において、前記掛け回し桿に掛け回されて前記留め付け部に留め付けられた前記帯状体のこの留め付け状態が保持されるようになっていると共に、
前記雄具の留め付け部は、回動部材の掛け回し桿を挟んだ雌具への差し込みの先側にこの回動部材の回動中心を有すると共に、この掛け回し桿を挟んだ前記差し込みの手前側に帯状体の挿通導入部を有しており、規制部によって前記回動部材の回動が抑止された状態において、挿通導入部を通る前記差し込み方向に沿った仮想の直線上に掛け回し桿が位置されないようになっていることを特徴とするバックル。
【請求項２】
ソケット状をなす雌具と、この雌具内に係合解除可能に差し込まれて係合される差し込み部と帯状体の留め付け部とを備えた雄具とからなるバックルであって、
前記雄具の留め付け部には、自由端側に前記帯状体の掛け回し桿を備えた回動部材が備えられていると共に、
前記雌具には、前記雄具との係合時に前記回動部材の回動を抑止する規制部が備えられており、
この規制部によって前記回動部材の回動が抑止された状態において、前記掛け回し桿に掛け回されて前記留め付け部に留め付けられた前記帯状体のこの留め付け状態が保持されるようになっており、
さらに、前記雄具の差し込み部は、雌具への差し込みを弾性変形により許容し且つ所定の差し込み位置での弾性復帰により雌具の被係合部に係合する左右の弾性係合脚と、この左右の弾性係合脚間に位置される中脚とを有していると共に、
規制部によって前記回動部材の回動が抑止された状態において、この中脚に形成された収納空間に回動部材が納まるようになっていることを特徴とするバックル。
【請求項３】
雌具と雄具との係合時に規制部が回動部材に当接されるようになっていることを特徴とする請求項１又は請求項２に記載のバックル。
【請求項４】
雌具と雄具との係合時に、少なくとも、回動部材におけるその回動中心と規制部へ当接される箇所とに亘る部分が雌具内に位置されるようになっていることを特徴とする請求項１〜請求項３のいずれか１項に記載のバックル。
【発明の詳細な説明】
【技術分野】
【０００１】
この発明は、雌具と、この雌具内に少なくとも一部を係脱自在に差し込まれる雄具とからなり、雄具に連係された帯状体をこの雄具と雌具との係合を通じてこの雌具に連係され又は取り付けられた対象物に分離可能に接続させるために用いられるバックルの改良に関する。
【背景技術】
【０００２】
雌部材と、この雌部材に係合解除可能に差し込まれて係合される雄部材とを備えてなるバックル（接続具）において、雄部材を固定部材と可動部材とから構成させたものがある。（特許文献１参照）この特許文献１のものにあっては、前記可動部材は、前記固定部材における前記係合時に雌部材の外側に位置される箇所に回動可能に組み合わされている。固定部材には帯状体の通し部が形成されると共に、可動部材にはこの通し部を通じて引き込まれた帯状体が掛け回される桿部が備えられ、引き込まれた帯状体はこの桿部で折り返されて再び前記通し部から引き出されるようになっている。この特許文献１のものにあっては、前記固定部材と可動部材とがＶ字状をなすように可動部材を開くと雄部材からの帯状体の引き出し長さを調整し易くなっている。しかるに、この特許文献１のものにあっては、かかる可動部材は、雌雄部材が係合されている場合も、この係合が解除されている場合も、変わりなく回動操作可能となっている。
【先行技術文献】
【特許文献】
【０００３】
【特許文献１】特許第３７９００９４号公報
【発明の概要】
【発明が解決しようとする課題】
【０００４】
この発明が解決しようとする主たる問題点は、この種のバックルにおいて、雄具に留め付けられた帯状体のこの留め付け状態が、この雄具と雌具との係合時には安定的に維持される一方で、この係合の解除を契機として解かれるようにする点にある。
【課題を解決するための手段】
【０００５】
前記課題を達成するために、この発明にあっては、バックルを、ソケット状をなす雌具と、この雌具内に係合解除可能に差し込まれて係合される差し込み部と帯状体の留め付け部とを備えた雄具とからなるバックルであって、
前記雄具の留め付け部には、自由端側に前記帯状体の掛け回し桿を備えた回動部材が備えられていると共に、
前記雌具には、前記雄具との係合時に前記回動部材の回動を抑止する規制部が備えられており、
この規制部によって前記回動部材の回動が抑止された状態において、前記掛け回し桿に掛け回されて前記留め付け部に留め付けられた前記帯状体のこの留め付け状態が保持されるようになっていると共に、
前記雄具の留め付け部は、回動部材の掛け回し桿を挟んだ雌具への差し込みの先側にこの回動部材の回動中心を有すると共に、この掛け回し桿を挟んだ前記差し込みの手前側に帯状体の挿通導入部を有しており、規制部によって前記回動部材の回動が抑止された状態において、挿通導入部を通る前記差し込み方向に沿った仮想の直線上に掛け回し桿が位置されないようになっている、ものとした。
また、前記課題を達成するために、この発明にあっては、バックルを、ソケット状をなす雌具と、この雌具内に係合解除可能に差し込まれて係合される差し込み部と帯状体の留め付け部とを備えた雄具とからなるバックルであって、
前記雄具の留め付け部には、自由端側に前記帯状体の掛け回し桿を備えた回動部材が備えられていると共に、
前記雌具には、前記雄具との係合時に前記回動部材の回動を抑止する規制部が備えられており、
この規制部によって前記回動部材の回動が抑止された状態において、前記掛け回し桿に掛け回されて前記留め付け部に留め付けられた前記帯状体のこの留め付け状態が保持されるようになっており、
さらに、前記雄具の差し込み部は、雌具への差し込みを弾性変形により許容し且つ所定の差し込み位置での弾性復帰により雌具の被係合部に係合する左右の弾性係合脚と、この左右の弾性係合脚間に位置される中脚とを有していると共に、
規制部によって前記回動部材の回動が抑止された状態において、この中脚に形成された収納空間に回動部材が納まるようになっている、ものとした。
【０００６】
かかる構成によれば、雌具内に雄具の差し込み部を差し込んで両者を係合させた状態において、前記掛け回し桿に掛け回された帯状体がその長さ方向に移動しないように、すなわち、帯状体への雄具の留め付け位置にズレが生じないようにすることができる。一方、この状態から雌具と雄具との係合を解くとこれを契機として規制部による回動部材の回動の抑止を解除することができ、これにより、帯状体への雄具の留め付け状態を解くことができる。
【発明の効果】
【０００７】
この発明によれば、バックルを構成する雄具に留め付けられた帯状体のこの留め付け状態を、この雄具と雌具との係合時には安定的に維持することができ、その一方で、この係合の解除を契機として円滑に解くことができる。
【図面の簡単な説明】
【０００８】
【図１】図１は実施の形態にかかるバックルを構成する雄具と雌具とを分離した状態の斜視図である。
【図２】図２は前記バックルを構成する雄具と雌具とを分離した状態の斜視図であり、図１と異なる向きからこれらを見て示している。
【図３】図３は前記バックルを構成する雄具と雌具とを係合させた状態の平面図である。
【図４】図４は前記バックルを構成する雄具と雌具とを係合させた状態の底面図である。
【図５】図５は前記バックルを構成する雄具と雌具とを係合させた状態の正面図である。
【図６】図６は図５におけるＢ−Ｂ線切断端面図である。
【図７】図７は図３におけるＡ−Ａ線切断端面図である。
【図８】図８は雄具と雌具との係合を解いた状態を示した切断端面図である。
【発明を実施するための形態】
【０００９】
以下、図１〜図８に基づいて、この発明の典型的な実施の形態について、説明する。この実施の形態にかかるバックルは、雌具Ｆと、この雌具Ｆ内に少なくとも一部を係脱自在に差し込まれる雄具Ｍとからなり、雄具Ｍに連係された帯状体Ｗをこの雄具Ｍと雌具Ｆとの係合を通じてこの雌具Ｆに連係され又は取り付けられた対象物（図示は省略する。）に分離可能に接続させるために用いられるものである。
【００１０】
雌具Ｆはソケット状をなし、雄具Ｍはその一部をこの雌具Ｆ内に差し込み可能に構成されたプラグ状をなしている。
【００１１】
図示の例では、雌具Ｆは、扁平筒状を呈しており、二つの幅広の面部１、１（表裏の面部）と、雄具Ｍの一部（後述の差し込み部１３）の差し込み方向ｘに沿った二つの幅狭の面部２、２（左右の厚さ側面部）とを有している。幅広の面部１と幅狭の面部２は略直角に交わり、雌具Ｆの筒軸に直交する向きの断面内郭形状は長方形状を呈する。雌具Ｆの一方の筒口は開放されており、この一方の筒口が長方形状の雄具Ｍの一部の差し込み口３となっている。
【００１２】
一方、図示の例では、雌具Ｆの他方の筒口は閉塞されている。この閉塞部４を挟んだ左右にはそれぞれ前記幅狭の面部２に連続してこの閉塞部４よりも先に突き出す延出部５が形成されている。左右の延出部５、５にはそれぞれ、前記差し込み方向ｘに直交する仮想の直線（図示は省略する。）に沿って軸穴５ａが形成されており、雌具Ｆはこの軸穴に通される図示しない軸体を利用して前記対象物にこの軸体を中心とした回動を可能とした状態で組み付けられるようになっている。
【００１３】
また、雌具Ｆの二つの幅狭の面部２、２にはそれぞれ、前記差し込み口３と閉塞部４との間において、前記差し込み方向ｘに長い長穴状をなす窓穴６が形成されている。雌具Ｆの左右方向の寸法は、この窓穴６の形成箇所において他の箇所より小さくなっており、雌具Ｆはこの窓穴６の形成箇所においてくびれている。
【００１４】
また、雌具Ｆの内部には、この雌具Ｆ内の空間を前記差し込み方向ｘに直交する向きににおいて三つに分割する二つの仕切壁７、７が形成されている。仕切壁７は前記差し込み方向ｘに沿って形成され、仕切壁７の奥端は前記閉塞部４に連接し、仕切壁７の前端は差し込み口３よりも雌具Ｆの内方に位置されている。そして、二つの仕切壁７、７の間に後述の雄具Ｍの中脚１３１の細い部分１３１ｂの挿入空間８が形成されると共に、右側の仕切壁７と右側の幅狭の面部２との間が後述の雄具Ｍの右側の弾性係合脚１３０の挿入空間９となり、左側の仕切壁７と左側の幅狭の面部２との間が後述の雄具Ｍの左側の弾性係合脚１３０の挿入空間９となっている。かかる挿入空間９に弾性係合脚１３０は内向きに撓み込まされた状態で差し込まれると共に、所定位置まで差し込まれると弾性復帰して、後述の係合部１６を前記窓穴６に入り込ませ、これにより雌具Ｆは雄具Ｍに係合される。すなわち、図示の例では、前記窓穴６がこの係合部１６に対する被係合部１０として機能するようになっている。
【００１５】
一方、前記雄具Ｍは、前記雌具Ｆ内に係脱自在に差し込まれる差し込み部１３と、帯状体Ｗの留め付け部１４とを備えている。
【００１６】
かかる雄具Ｍは、長方形の板状をなす基部１５を有し、前記差し込み部１３はこの基部１５の一面からこの一面に直交する向きに突き出されている。
【００１７】
差し込み部１３は、左右の弾性係合脚１３０、１３０と、この左右の弾性係合脚１３０、１３０の間に位置される中脚１３１とから構成されている。
【００１８】
中脚１３１は、前記基部１５との連接箇所からその長さ方向略中程の箇所を太い部分１３１ａとし、この太い部分１３１ａよりも先を左右の幅を太い部分１３１ａの略半分とする細い部分１３１ｂとしている。かかる太い部分１３１ａと細い部分１３１ｂとの連接箇所には、左右に段差１３１ｃが形成されている。図示の例では、かかる中脚１３１は、前記基部１５と、左右の枠構成部１３１ｄ、１３１ｄと、先端枠構成部１３１ｅとからなる中空の枠状を呈している。前記太い部分１３１ａの長さ方向略中程の位置には、左右の枠構成部１３１ｄ、１３１ｄ間に亘る仕切部１３１ｆが形成されている。図示の例では、中脚１３１におけるかかる仕切部１３１ｆと先端枠構成部１３１ｅとの間が後述の回動部材１４０の収納空間１３１ｊとなるようにしてある。前記基部１５には、かかる中脚１３１の太い部分１３１ａの内側の左右の幅寸法と略等しい穴長を備えてこの中脚１３１内に連通する長穴状をなす貫通穴１５０が形成されている。
【００１９】
左右の弾性係合脚１３０、１３０はそれぞれ、その先端部の外側、すなわち、前記中脚１３１に向き合わない側に、この弾性係合脚１３０の太さをこの先端部で大きくさせる膨出部１３０ａを有しており、この膨出部１３０ａによって前記基部１５側を向いた係合面１３０ｂを備えている。左右の弾性係合脚１３０、１３０の膨出部１３０ａ間の距離は、雌具Ｆの左右の幅狭の面部２、２における差し込み口３と窓穴６との間の内面間の距離よりもやや大きくなっている。これにより、雌具Ｆの差し込み口３からこの雌具Ｆ内の二つの仕切壁７、７間に中脚１３１の細い部分１３１ｂが入るようにこの雌具Ｆ内に雄具Ｍの差し込み部１３を差し込むと、膨出部１３０ａが幅狭の面部２の内面に摺接して弾性係合脚１３０が内側に撓み込み、窓穴６に膨出部１３０ａが入り込む位置までの雌具Ｆ内への雄具Ｍの差し込み部１３の差し込みが許容されるようになっている。窓穴６に膨出部１３０ａが入り込む位置まで雌具Ｆ内に雄具Ｍの差し込み部１３が差し込まれると、弾性係合脚１３０は弾性復帰して外側に撓み戻して窓穴６に入り込み、膨出部１３０ａの係合面１３０ｂが窓穴６における差し込み口３側に位置される窓縁に引っかかる。（図４）これにより雌具Ｆは雄具Ｍに係合される。すなわち、図示の例では、かかる膨出部１３０ａが前記係合部１６として機能するようになっている。
【００２０】
一方、前記雄具Ｍの留め付け部１４には、自由端側に前記帯状体Ｗの掛け回し桿１４０ａを備えた回動部材１４０が備えられている。
【００２１】
この実施の形態にあっては、かかる留め付け部１４は、かかる回動部材１４０と、帯状体Ｗの挿通導入部１４１とから構成されている。
【００２２】
図示の例では、前記基部１５には、前記中脚１３１の太い部分１３１ａの内側の左右の幅寸法と略等しい穴長を備えてこの中脚１３１内に連通する長穴状をなす貫通穴１５０が形成されている。そして、図示の例では、この貫通穴１５０の長さ方向に沿った一方の穴内面１５０ａと、この一方の穴内面１５０ａ側に位置される仕切部１３１ｆの一面１３１ｇとの間が前記挿通導入部１４１となるようにしてある。（図７）
【００２３】
また、図示の例では、回動部材１４０は、前記中脚１３１の細い部分１３１ｂの内側に納まる軸部１４０ｂと、この中脚１３１の太い部分１３１ａにおける細い部分１３１ｂとの連通箇所と前記仕切部１３１ｆとの間に納まる頭部１４０ｅとを有している。頭部１４０ｅは左右方向に長いベース部１４０ｆと、このベース部１４０ｆの左端から前記仕切部１３１ｆ側に突き出す左側耳部１４０ｇと、このベース部１４０ｆの右端から前記仕切部１３１ｆ側に突き出す右側耳部１４０ｇと、この左右の耳部１４０ｇ、１４０ｇ間に架設された前記掛け回し桿１４０ａとを備えている。左右の耳部１４０ｇ、１４０ｇ間の距離は前記帯状体Ｗの幅寸法と略等しくなってる。頭部１４０ｅと軸部１４０ｂとは、ベース部１４０ｆの左右方向略中程の位置に軸部１４０ｂの一端を連接させて、一体化されている。軸部１４０ｂの他端には、中脚１３１の先端側において細い部分１３１ｂを構成する左右の枠構成部１３１ｄ、１３１ｄ間に架設された軸体１４２の通される軸穴１４０ｃが形成されており、回動部材１４０はこの軸体１４２を回動中心とした回動可能に中脚１３１に組み合わされている。これにより、回動部材１４０の前記頭部１４０ｅ側がこの回動部材１４０の自由端側となっている。
【００２４】
すなわち、雄具Ｍの留め付け部１４は、回動部材１４０の掛け回し桿１４０ａを挟んだ雌具Ｆへの差し込みの先側にこの回動部材１４０の回動中心を有すると共に、この掛け回し桿１４０ａを挟んだ前記差し込みの手前側に帯状体Ｗの挿通導入部１４１を有している。
【００２５】
そして、この実施の形態にあっては、前記雌具Ｆに、前記雄具Ｍとの係合時に前記雄具Ｍの留め付け部１４の外側に位置して、前記回動部材１４０の回動を抑止する規制部１１が備えられており、この規制部１１によって前記回動部材１４０の回動が抑止された状態において、前記掛け回し桿１４０ａに掛け回されて前記留め付け部１４に留め付けられた前記帯状体Ｗのこの留め付け状態が保持されるようになっている。
【００２６】
これにより、この実施の形態にあっては、雌具Ｆ内に雄具Ｍの差し込み部１３を差し込んで両者を係合させた状態において、前記掛け回し桿１４０ａに掛け回された帯状体Ｗがその長さ方向に移動しないように、すなわち、帯状体Ｗへの雄具Ｍの留め付け位置にズレが生じないようにすることができる。一方、この状態から雌具Ｆと雄具Ｍとの係合を解くとこれを契機として規制部１１による回動部材１４０の回動の抑止を解除することができ、これにより、帯状体Ｗへの雄具Ｍの留め付け状態を解くことができる。
【００２７】
この実施の形態にあっては、雌具Ｆと雄具Ｍとの係合時に規制部１１が回動部材１４０に当接されるようになっている。図示の例では、雌具Ｆの幅広の面部１の一方に、差し込み口３の長さ方向中程の位置から外側に突き出す延長片１２が形成されており、雌具Ｆと雄具Ｍとの係合時に、この延長片１２が回動部材１４０の頭部１４０ｅのベース部１４０ｆに外側から接して回動部材１４０の回動を規制するようになっている。すなわち、図示の例では、かかる延長片１２が前記規制部１１として機能するようになっている。（図７）
【００２８】
また、この実施の形態にあっては、前記規制部１１によって前記回動部材１４０の回動が抑止された状態において、挿通導入部１４１を通る前記差し込み方向ｘに沿った仮想の直線Ｌ上に掛け回し桿１４０ａが位置されないようになっている。（図７）これにより、この実施の形態にあっては、挿通導入部１４１を通じて引き込まれて回動部材１４０の掛け回し桿１４０ａに掛け回されると共に、そこで折り返されて再び挿通導入部１４１から引き出された帯状体Ｗを、かかる挿通導入部１４１と掛け回し桿１４０ａとにより屈曲させて、前記留め付け状態を保持させることができる。
【００２９】
図示の例では、前記仕切部１３１ｆの一面１３１ｇと、この仕切部１３１ｆにおける掛け回し桿１４０ａ側に位置される側面１３１ｈとの接し合う縁部１３１ｉが鋭角に交わるようになっていると共に、前記のように屈曲された帯状体Ｗにこの縁部１３１ｉが突き立てられて、前記留め付け状態を保持するようになっている。（図７）この状態から、雌具Ｆと雄具Ｍとの係合を解くと、具体的には、前記窓穴６に膨出部１３０ａを入り込ませている左右の弾性係合脚１３０、１３０のこの膨出部１３０ａを内側に押し込み操作して窓穴６と膨出部１３０ａとの係合を解きながら雌具Ｆ内から雄具Ｍの差し込み部１３を抜き出すように操作すると、帯状体Ｗに作用される張力により回動部材１４０は挿通導入部１４１を通る前記差し込み方向ｘに沿った仮想の直線Ｌ上に掛け回し桿１４０ａを位置させる位置まで回動され、帯状体Ｗに対する前記屈曲は解かれる。これにより、帯状体Ｗへの雄具Ｍの留め付け状態が解除されるようになっている。（図８）
【００３０】
なお、この実施の形態にあっては、中脚１３１の細い部分１３１ｂは、雌具Ｆにおける規制部１１の形成されていない幅広の面部１に向き合う側において、先端枠構成部１３１ｅから仕切部１３１ｆの手前までの範囲で閉塞板１３１ｋにより閉塞されている。これにより、この実施の形態にあっては、回動部材１４０の前記回動は、前記収納空間１３１ｊに完全に納まった位置（図７）からこの回動部材１４０の回動中心１４０ｈと軸部１４０ｂの他端との間にある規制面１４０ｄが前記閉塞板１３１ｋに当接する範囲までの間に限定されるようになっている。
【００３１】
また、この実施の形態にかかるバックルにあっては、前記雌具Ｆと雄具Ｍとの係合時に、回動部材１４０におけるその回動中心１４０ｈと規制部１１へ当接される箇所１４０ｉとに亘る部分が雌具Ｆ内に位置されるようになっている。より具体的には、前記規制部１１によって前記回動部材１４０の回動が抑止された状態において、前記中脚１３１に形成された収納空間１３１ｊに回動部材１４０が納まるようになっている。（図７）これにより、この実施の形態にあっては、前記係合時のバックルの全長を過大とすることなく、前記回動部材１４０を雄具Ｍに備えさせるようになっている。
【００３２】
以上に説明したバックルにおける弾性変形特性を備えるべき箇所へのこの特性の付与は、かかるバックルを合成樹脂の成形品とすることで、容易に実現することができる。
【符号の説明】
【００３３】
Ｆ  雌具
Ｍ  雄具
Ｗ  帯状体
１１  規制部
１４  留め付け部
１４０  回動部材
１４０ａ  掛け回し桿
【図１】
0005836022.tif 000002
【図２】
0005836022.tif 000003
【図３】
0005836022.tif 000004
【図４】
0005836022.tif 000005
【図５】
0005836022.tif 000006
【図６】
0005836022.tif 000007
【図７】
0005836022.tif 000008
【図８】
0005836022.tif 000009